【手続補正書】
【提出日】平成21年5月20日(2009.5.20)
【手続補正１】
【補正対象書類名】特許請求の範囲
【補正対象項目名】全文
【補正方法】変更
【補正の内容】
【特許請求の範囲】
【請求項１】
Ｉ．Ｓ．ガラス成形マシーンのための型開閉機構であり、
少なくとも一つの型の部分を搬送するための型キャリアと、
型開放位置と型閉塞位置との間を直線状に移動するように前記型キャリアを支持するための支持手段と、
前記型キャリアを前記型開放位置と型閉塞位置との間で移動させるために前記型キャリアに結合されている駆動手段とを含み、
前記型キャリアが、前記型の部分毎に、
前記型の部分を垂直方向で位置決めするための第一の位置決め手段と、
前記型の部分を水平方向に位置決めするための第二の位置決め手段と、
前記搬送される型の部分にクランプ力を伝えるための平らな垂直方向に面する手段とを含んでいる垂直前方取り付け面部分を備えているＩ．Ｓ．ガラス成形マシーンのための型開閉機構。
【請求項２】
請求項１に記載のＩ．Ｓ．ガラス成形マシーンのための型開閉機構であって、
前記第一の位置決め手段が水平面であるＩ．Ｓ．ガラス成形マシーンのための型開閉機構。
【請求項３】
請求項１に記載のＩ．Ｓ．ガラス成形マシーンのための型開閉機構であって、
前記第二の位置決め手段が“Ｔ”字形状穴を含んでいるＩ．Ｓ．ガラス成形マシーンのための型開閉機構。
【請求項４】
請求項１に記載のＩ．Ｓ．ガラス成形マシーンのための型開閉機構であって、
前記型開放位置と型閉塞位置との間を移動させるために前記型キャリアを支持するための支持手段が、前記型キャリアの両側に固定された一対のレールと、前記型開放位置と型閉塞位置との間を移動させるために前記レールを支持するためのフレーム手段とを含んでいる開閉Ｉ．Ｓ．ガラス成形マシーンのための型開閉機構。
【請求項５】
Ｉ．Ｓ．ガラス成形マシーンのための型開閉機構であり、
各々が位置決めキーを備えている２つの型半体を含んでいる少なくとも一つの型を搬送するための型キャリアと、
型開放位置と型閉塞位置との間を直線状に移動するように前記型キャリアを支持する構造にされた支持構造と、
前記型キャリアを前記型開放位置と型閉塞位置との間で移動させるために前記型キャリアに結合されている駆動機構とを含み、
前記型キャリアが、垂直前方取り付け面部分を備えており、当該垂直前方取り付け面部分は、前記型半体毎に、
前記型を位置決めするための位置決め構造であって、相対的に隔置された関係に配置された下方及び上方の突出部の対を含み且つ少なくとも１つの型半体の位置決めキーを受け入れる構造とされた垂直方向に伸びているＴ字形状の穴を規定している前記位置決め構造と、
搬送される型にクランプ力を伝えるための平らな垂直方向面とを含んでおり、
前記型半体は、前記型キャリア内で垂直方向及び水平方向に整合されている、Ｉ．Ｓ．ガラス成形マシーンのための型開閉機構。
【請求項６】
請求項５に記載の型開閉機構であり、
前記位置決め構造が、前記位置決めキー上に形成されたフランジを受け入れる構造とされた水平面を備えていることを特徴とする型開閉機構。
【請求項７】
請求項５に記載の型開閉機構であり、
前記位置決めキーが支持部分によって形成されており、当該支持部分の各端部に直角の頂部のＴ字形部分を備えていることを特徴とする型開閉機構。
【請求項８】
請求項７に記載の型開閉機構であり、
前記支持部分の幅が、前記頂部のＴ字形部分の各々の水平方向長さよりも狭いことを特徴とする型開閉機構。
【請求項９】
請求項５に記載の型開閉機構であり、
前記支持構造が、前記型キャリアの両側に固定された一対のレールと、型開放位置と型閉塞位置との間で移動させるように前記レールを支持する構造とされているフレーム構造と、を備えていることを特徴とする型開閉機構。
【請求項１０】
請求項５に記載の型開閉機構であり、
前記型キャリアの前記垂直前方取り付け面部分に作動可能に結合され且つ各型と整合されている垂直な楔状部材を備えており、当該垂直な楔状部材は型を選択的に押圧する構造とされていることを特徴とする型開閉機構。
【請求項１１】
請求項１０に記載の型開閉機構であり、
前記垂直な楔状部材と作動可能に係合し且つ前記楔状部材を型に対して近づく方向及び離れる方向に選択的に動かす構造とされているねじを備えていることを特徴とする型開閉機構。
【請求項１２】
請求項５に記載の型開閉機構であり、
前記上方及び下方の突出部の対のうちの少なくとも一方がＴ字形形状とされていることを特徴とする型開閉機構。
【請求項１３】
少なくとも一つの型を搬送するための型キャリアと、型開放位置と型閉塞位置との間を直線状に移動するように前記型キャリアを支持する構造にされた支持構造と、前記型キャリアを前記型開放位置と型閉塞位置との間で移動させるために前記型キャリアに結合されている駆動装置とを備えている、Ｉ．Ｓ．ガラス成形マシーンのための型開閉機構であり、
前記型キャリア上に形成された垂直前方取り付け面部分であって、前記型毎に、前記型を位置決めするための位置決め構造であって相対的に隔置された関係に配置された下方及び上方の突出部の対を含み且つ少なくとも１つの型半体の位置決めキーを受け入れる構造とされた垂直方向に伸びているＴ字形状の穴を規定している前記位置決め構造を備えている前記垂直前方取り付け面部分と、
搬送される型にクランプ力を伝えるための平らな垂直方向面と、
前記型キャリアの前記垂直前方取り付け面部分に作動可能に結合され且つ各型と整合されている垂直な楔状部材であって、型を選択的に押圧する構造とされている前記垂直な楔状部材と、を含んでおり、
前記型半体は、前記型キャリア内で垂直方向及び水平方向に整合されている、Ｉ．Ｓ．ガラス成形マシーンのための型開閉機構。
【請求項１４】
請求項１３に記載の型開閉機構であり、
前記垂直な楔状部材と作動可能に係合し且つ前記楔状部材を型に対して近づく方向及び離れる方向に選択的に動かす構造とされているねじを備えていることを特徴とする型開閉機構。
【請求項１５】
請求項１４に記載の型開閉機構であり、
前記ねじへのアクセスが、前記型キャリアの前記垂直前方取り付け面部分内に形成されている切欠きを介してなされることを特徴とする型開閉機構。
【請求項１６】
請求項１３に記載の型開閉機構であり、
前記位置決め構造が、前記位置決めキー上に形成されたフランジを受け入れる構造とされた水平面を備えていることを特徴とする型開閉機構。
【請求項１７】
請求項１３に記載の型開閉機構であり、
前記位置決めキーが支持部分によって形成されており、当該支持部分の各端部に直角の頂部のＴ字形部分を備えていることを特徴とする型開閉機構。
【請求項１８】
請求項１７に記載の型開閉機構であり、
前記支持部分の幅が、前記頂部のＴ字形部分の各々の水平方向長さよりも狭いことを特徴とする型開閉機構。
【請求項１９】
請求項１３に記載の型開閉機構であり、
前記支持構造が、前記型キャリアの両側に固定された一対のレールと、型開放位置と型閉塞位置との間で移動させるように前記レールを支持する構造とされているフレーム構造と、を備えていることを特徴とする型開閉機構。
【請求項２０】
請求項１３に記載の型開閉機構であり、
前記上方及び下方の突出部の対のうちの少なくとも一方がＴ字形形状とされていることを特徴とする型開閉機構。
【請求項２１】
少なくとも一つの型を搬送するための型キャリアと、型開放位置と型閉塞位置との間を直線状に移動するように前記型キャリアを支持する構造にされた支持構造と、前記型キャリアを前記型開放位置と型閉塞位置との間で移動させるために前記型キャリアに結合されている駆動装置とを備えている、Ｉ．Ｓ．ガラス成形マシーンのための型開閉機構であり、
前記型キャリア上に形成された垂直前方取り付け面部分であって、前記型毎に、前記型を位置決めするための位置決め構造であって相対的に隔置された関係に配置された下方及び上方の突出部の対を含み且つ少なくとも１つの型半体の位置決めキーを受け入れる構造とされた垂直方向に伸びているＴ字形状の穴を規定している前記位置決め構造を備えている前記垂直前方取り付け面部分と、
搬送される型にクランプ力を伝えるための平らな垂直方向面と、
前記型キャリアの前記垂直前方取り付け面部分に作動可能に結合され且つ各型と整合されている垂直な楔状部材であって、当該垂直な楔状部材と作動可能に係合し且つ前記楔状部材を型に対して近づく方向及び離れる方向に選択的に動かす構造とされているねじを備えている型を選択的に押圧する構造とされている前記垂直な楔状部材と、  を含んでおり、
前記型半体は、前記型キャリア内で垂直方向及び水平方向に整合されている、Ｉ．Ｓ．ガラス成形マシーンのための型開閉機構。
【請求項２２】
請求項２１に記載の型開閉機構であり、
前記ねじへのアクセスが、前記型キャリアの前記垂直前方取り付け面部分内に形成されている切欠きを介してなされることを特徴とする型開閉機構。
【請求項２３】
請求項２１に記載の型開閉機構であり、
前記位置決め構造が、前記位置決めキー上に形成されたフランジを受け入れる構造とされた水平面を備えていることを特徴とする型開閉機構。
【請求項２４】
請求項２１に記載の型開閉機構であり、
前記位置決めキーが支持部分によって形成されており、当該支持部分の各端部に直角の頂部のＴ字形部分を備えていることを特徴とする型開閉機構。
【請求項２５】
請求項２４に記載の型開閉機構であり、
前記支持部分の幅が、前記頂部のＴ字形部分の各々の水平方向長さよりも狭いことを特徴とする型開閉機構。
【請求項２６】
請求項２１に記載の型開閉機構であり、
前記支持構造が、前記型キャリアの両側に固定された一対のレールと、型開放位置と型閉塞位置との間で移動させるように前記レールを支持する構造とされているフレーム構造と、を備えていることを特徴とする型開閉機構。
【請求項２７】
請求項２１に記載の型開閉機構であり、
前記上方及び下方の突出部の対のうちの少なくとも一方がＴ字形形状とされていることを特徴とする型開閉機構。